(57)【要約】【課題】支持構造体と、互いに略並行した個々の回転軸を回転させるために、支持構造体に取り付けられた複数の回転集合体とを有する磁気共振装置を提供する。【解決手段】支持構造体に対して回転する個々の軸の周囲に、回転集合体の各々を回転させるために、駆動手段は回転集合体と連結される。回転集合体の各々は、個々の軸に沿って配置された複数の磁石を収容する。複数の磁石は、複数の第１および第２の配置にグループ化され、第１の配置が、第２の配置の対の間に配置される。第１および第２の配置のうちの少なくとも１つが、宗教的形状に基づいたパターンまたは形状を含む。【選択図】図１
2009519118.tif 000002
【特許請求の範囲】
【請求項１】
支持構造体と、
互いに略並行した個々の回転軸を回転させるために、前記支持構造体に取り付けられた複数の回転集合体と、
前記回転集合体と接続され、前記支持構造体と関連するそれぞれの回転軸について、前記回転集合体の各々を回転させる駆動手段とを備え、
前記回転集合体の各々は、
前記個々の軸に沿って配置された複数の磁石を収容し、前記複数の磁石は、複数の第１および第２の配置にグループ化され、第１の配置が、前記第２の配置の対の間に配置されており、前記第１および第２の配置のうちの少なくとも１つが、宗教的形状に基づくパターンまたは形状を含む、ことを特徴とする磁気共振装置。
【請求項２】
前記第１の配置の磁石が、「生命の種子」パターンである、ことを特徴とする請求項１に記載の磁気共振装置。
【請求項３】
前記第２の配置の磁石は、複数の前記磁石を備え、
該複数の前記磁石は、略角錐形または略円錐形のパターンまたは形状にて、前記回転する個々の軸の周囲に略等間隔配置され、前記略角錐形または略円錐形の頂点が前記第１の配置に面している、ことを特徴とする請求項１または請求項２に記載の磁気共振装置。
【請求項４】
前記第２の配置の磁石における前記磁石は、縦軸の対向側に識別可能な正面および背面を有し、
前記磁石は、前記略角錐形または略円錐形に沿って位置する前記縦軸と一直線に並んで配置され、
前記磁石の各々は、それぞれ隣接する磁石から共通の方向に等分量だけ回転され、正反対にある磁石はそれぞれ、略垂直方向を向いた、前記正面および背面をそれぞれ有している、ことを特徴とする請求項３に記載の磁気共振装置。
【請求項５】
前記第１および第２の配置における前記磁石は、湾曲した正面および背面によってつなぎ合わされた、略平坦な面を有し、前記湾曲した正面および背面は両極の端部にて接触し、
前記正面または背面から見た場合には、レンズ状の輪郭であり、側面から見た場合には、略長方形の輪郭であり、
それぞれの前記レンズ状の前記縦軸が前記両極の端部を通って延びている、ことを特徴とする請求項４に記載の磁気共振装置。
【請求項６】
前記磁石は、前記磁石を受け止めて方位を合わせるために形成された溝を有する支持ブロックに取り付けられる、ことを特徴とする請求項５に記載の磁気共振装置。
【請求項７】
支持ブロックは円筒形であり、
前記回転集合体は、前記支持ブロックを収容する非磁性材料のチューブ状の円筒板を有し、
前記円筒板と前記支持ブロックとの間で保持器が作動し、前記支持ブロックが、前記円筒板に対して、回転するのを制限する、ことを特徴とする請求項５または請求項６に記載の磁気共振装置。
【請求項８】
共通の軸の周囲に、等間隔に配置された前記回転集合体を３つさらに備える、ことを特徴とする請求項７に記載の磁気共振装置。
【請求項９】
前記磁石のうちの少なくとも一部が、個々のＮ極およびＳ極を交互に配置されている、ことを特徴とする請求項８に記載の磁気共振装置。
【請求項１０】
前記回転集合体のそれぞれに沿っている、前記第１の配置のうちの４個の磁石および前記第２の配置のうちの９個の磁石をさらに備える、ことを特徴とする請求項９に記載の磁気共振装置。
【請求項１１】
前記第２の配置それぞれが、６個の磁石を有する、ことを特徴とする請求項１から請求項１０のいずれか一項に記載の磁気共振装置。
【請求項１２】
前記駆動手段が、毎分３５００回転から４０００回転にて、前記回転集合体を回転させるように構成されている、ことを特徴とする請求項１から請求項１０のいずれか１つに記載の磁気共振装置。
【発明の詳細な説明】
【技術分野】
【０００１】
本発明は、浄化および治療装置の技術分野に関する。
詳細には、本発明は、磁石の回転から生じる磁場を利用する装置に関する。
【背景技術】
【０００２】
磁場を利用して、水を浄化する目的のために様々な装置が提案されている。
多くの浄化装置は静止した磁石を用いるが、いくつかの浄化装置は回転しており、浄化されるべき水を含んだ容器内に１つ以上の回転した磁石と接触させることを必要とする。
一方で、出願人は以前、浄化されるべき物質が当該装置付近にあることのみを必要とする、磁石を用いた浄化装置を発明した。
出願人の先願の発明は、特許文献１および２において例示される。
【０００３】
出願人の先願の発明では、「宗教的形状」（以下でさらに詳細に記載する）に従ったパターンにて配置された複数の磁石を用いることが、棒磁石の単純な回転よりも、はるかに効果的であることが認められている。
しかしながら、これまでの出願人の進展にもかかわらず、治癒目的のために、食料、水、空気、土壌、ならびに、人体および動物の体の表面に直接適用するものなどを浄化するための、より効果的でコンパクトな装置が所望されている。
【０００４】
「宗教的形状」という用語は、宗教的な重要性を意味するものではない。
対照的に、「宗教的形状」という用語は、自然界において頻繁に見受けられる多数の基本的な形状パターンおよび形状的な並びを意味するものである。
一部のパターンは、自然や人間との重要な繋がりを有するという信条のため、それらのパターンが宗教的な儀礼において用いられることもたしかにあるが、しかしながら、これらの事柄は本発明の関心領域ではない。
【０００５】
宗教的形状を論じる多数の出版物が存在する。
例となる出版物は、例えば、Ｄｒｕｎｖａｌｏ  Ｍｅｌｃｈｉｚｅｄｅｃによる非特許文献１、およびインターネット上における非特許文献２であり、読者は、宗教的形状におけるさらなる研究のために、それらを参照し得る。
【０００６】
非常に広い意味においては、宗教的形状とは一般に、Ｐｉ、√２、√５、√３、およびφなどの５つの基本的な形状比のうちの１つを実現することで作成されるパターンおよび形状に関する。
Ｐｉは、円周に対する円の直径の比である。
√２は、両辺の長さを１とする正方形の対角線の長さである。
√５は、１辺の長さをそれぞれ１および２とする長方形の対角線の長さである。
√３は、半径を１とする二つの円がそれぞれ交差する点を繋いだ弧の長さである（但し、それぞれの円の外周は、他方の円の中心を通る）。
【０００７】
φ（（１＋√５）／２）は、動物や植物の骨格構造などにおいて一般的である、自然発生的な比である。
それはまた、「黄金比」とも呼ばれる。
雪片やツリー形状などの多くの自然発生的なフラクタルパターンは黄金比となる。
【０００８】
宗教的形状パターンは、以下で記載される好適な実施形態の記載において用いられる「生命の種子（シード・オブ・ライフ）」のパターンなどによって例示される、宗教的幾何学的形状比を用いて構成されるパターンである。
他の宗教的幾何学形状およびパターンは、五角形、星型五角形、六線星形、正三角形、正方形、２：１の比の両辺を有する長方形、ヴェシカ・パイシーズ形（Ｖｅｓｉｃａ  Ｐｉｓｃｅｓ）、角錐や、キャサラ・グリッド状（ｃａｔｈａｒａ  ｇｒｉｄ）などの３Ｄ構造体などを含むが、それらに限定されない。
他の形状、パターン、および構造体もまた、宗教的形状に精通する者には公知である。
【特許文献１】カナダ国特許出願第２，４８８，７７６号明細書
【特許文献２】カナダ国特許出願第２，５２６，９７７号明細書
【非特許文献１】Ｔｈｅ  Ａｎｃｉｅｎｔ  Ｓｅｃｒｅｔ  ｏｆ  ｔｈｅ  Ｆｌｏｗｅｒ  ｏｆ  Ｌｉｆｅ  (Ｖｏｌ．Ｉ  および  ＩＩ)
【非特許文献２】ｈｔｔｐ：／ｗｗｗ．ｉｎｔｅｎｔ．ｃｏｍ／ｓｇ
【発明の開示】
【発明が解決しようとする課題】
【０００９】
より一般的な意味において、本発明は、軸方向の回転ローラに沿って形成される宗教的形状に基づいて、磁気パターンを反復し、互いに並行して配置された複数のローラを利用することにより、宗教的形状を実現する磁気共振装置において、より効果的な磁場が実現され得ることを認めるものである。
【課題を解決するための手段】
【００１０】
詳細には、磁気共振装置は、支持構造体と、互いに略並行する個々の回転軸を回転するために、当該指示構造体に取り付けられた複数の回転集合体とを備える、磁気共振装置を提供する。
支持構造体に対して回転する個々の軸の周囲に、回転集合体の各々を回転させるために、駆動手段は回転集合体と連結される。
回転集合体の各々は、個々の軸に沿って配置された複数の磁石を収容する。
複数の磁石は、複数の第１および第２の配置にグループ化され、第１の配置が、第２の配置の対の間に配置される。
第１および第２の配置のうちの少なくとも１つが、宗教的形状に基づいたパターンまたは形状を含む。
【００１１】
第１の配置の磁石が、「生命の種子」パターンであってもよい。
【００１２】
第２の配置の磁石は、複数の磁石を備えてもよく、当該複数の磁石は、略角錐形または略円錐形のパターンまたは形状にて、回転する個々の軸の周囲に略等間隔に配置されてもよく、角錐形または円錐形の頂点が第１の配置に面してもよい。
【００１３】
第２の配置の磁石は、縦軸（長手方向軸）の対向側に、識別可能な正面および背面を有してもよい。
磁石は、角錐形または円錐形に沿って位置する縦軸（長手方向軸）と一直線に並んで配置されてもよい。
磁石の各々は、それぞれ隣接する磁石から共通の方向に、等しい分だけ回転され、正反対にある磁石はそれぞれ、略垂直方向を向いた、正面および背面をそれぞれ有してもよい。
【００１４】
第１および第２の配置における磁石は、湾曲した正面および背面によってつなぎ合わされた、略平坦な面を有し、湾曲した正面および背面は両極の端部にて接触し、正面または背面から見た場合には、レンズ状の輪郭であり、側面から見た場合には、略長方形の輪郭であり、それぞれのレンズの縦軸（長手方向軸）が両極の端部を通り抜けて延びてもよい（貫通してもよい）。
【００１５】
磁石は、磁石を受け止めて方位を正しく合わせるために、形成された溝を有する支持ブロックに取り付けられてもよい。
【００１６】
支持ブロックは円筒形であってもよく、非磁性材料のチューブ状の円筒板を供える回転集合体に収容されてもよい。
円筒板と支持ブロックとの間で保持器が作動し、支持ブロックが、円筒板に対して、回転するのを制限してもよい。
【００１７】
磁気共振装置は、共通の軸の周囲に、等間隔に配置された回転集合体のうちの３つの回転集合体をさらに備えてもよい。
【００１８】
磁石は、個々のＮ極およびＳ極を交互に配置されてもよい。
【００１９】
磁気共振装置は、第１の配置のうちの４個の磁石および第２の配置のうちの９個の磁石を備えてもよい。
【００２０】
各第２の配置は６個の磁石を有してもよい。
【発明を実施するための最良の形態】
【００２１】
本発明による磁気共振装置は、添付の図面における参照番号１００によって一般に示される。
磁気共振装置１００は、基本的に、通常互いに並行する個々の回転軸１０４の周囲を回転するために取り付けられた、例えば図に示すような円筒形のドラム型などの、複数の回転集合体１０２を備える。
【００２２】
回転集合体１０２およびそれらの個々の軸は、共通の軸１０６と並行し、その周囲に等しく間隔を置いて配置されている。
【００２３】
３つの回転集合体１０２は、例えば、図５に示すように、端面から見た場合に、正三角形の角に対応するように配置された個々の軸１０４とともに配置される。
【００２４】
そのような配置にしたがって組み立てられた原型的な磁気共振装置１００は、試験作業において有益な結果をもたらした。
しかしながら、他の個数のローラや他のローラの配置もまた可能であることも予想されている。
もちろん、より小さな共振磁界ではあるが、有益な結果が、単一の回転集合体１０２を用いて達成可能である。
【００２５】
各回転集合体１０２は、以下でさらに詳述される宗教的形状となるパターンにしたがって配置される磁石を含む。
【００２６】
回転集合体１０２は、任意の適切な原動力手段、または共振磁場を生成するロテータによって、回転集合体の個々の軸１０４の周囲を回転する。
図に示すように、適切なロテータは、回転（ロテータ）集合体（アセンブリ）１０２に取り付けられた被駆動滑車１１０と連動し、それと摩擦しつつ係合する駆動ベルト１１２によって、回転集合体１０２と回転自在に連結されるモータ１０８を含んでもよい。
駆動滑車１１４は、モータ１０８の出力軸に取り付けられ、駆動ベルト１１２を圧迫し、ベルト１１２と摩擦しつつ係合する。
【００２７】
滑車およびベルトのこの配置は例示的なものであり、他の駆動アセンブリ、例えば、スプロケットアセンブリおよびチェインアセンブリ、あるいは、一例を挙げれば、二つの代替物として、歯車駆動アセンブリなどによって代替されてもよいことは理解されよう。
【００２８】
図１から図５に示す構造体は、通常、上述の部品を取り付け、支持するための支持構造体によってバランスをとっている。
図に示す支持構造体は、基部１２０を備え、回転集合体支持プレート１２２は、通常、基部１２０から垂直に延びるように固定されている。
回転集合体支持プレートは、通常、軸受部を収容しており、回転集合体１０２の個々の端部は、低摩擦の回転支持部に対してジャーナル軸受（ｊｏｕｒｎａｌｌｅｄ）する。
モータ１０８は、調整可能なモータ取付部１２２によって基部１２０上に支持されてもよく、モータ１８０を動かすことによって、駆動ベルト１１２の張力を可能にする。
【００２９】
非磁気カバー（図示されず）は、外観のため、および、任意の動的部分との不慮の接触から保護するために、磁気共振装置１００を覆うように提供されてもよい。
【００３０】
回転集合体１０８およびその各部分は、図６から図３１に詳細に示す。
各回転集合体１０８は、通常、非磁性物質（例えば、アルミニウム）の円筒形の円筒板１３０を有し、その内部には、通常、回転集合体１０８の軸方向に沿って、複数の並んだレンズ型の磁石１３２が配置されている。
【００３１】
本明細書において使用される「非磁性」とは、磁石１３２と著しく干渉しない材料を意味する。
【００３２】
複数の並んだ磁石１３２は、通常、２つの配置を含む。
第１の配置１３４は、図８に示すように、半径方向に「生命の種子」パターンで配置される。
【００３３】
第２の配置１３６は、通常、円錐形の構成において、ローラ１０２の回転軸１０４の周囲に等しく間隔を置かれた６個の磁石を備える。
すなわち、各磁石１３２の一端は、他端よりも、回転軸１３８に、より接近している。
それゆえ、第２の配置１３６の磁石１３２は、見る者の視点に依存するが、回転軸１３８に対して、中心に向かうか、または外側に逸れていく。
【００３４】
第２の配置１３６は、各第２の配置１３６の磁石１３２を用いて、各第１の配置と隣接して配置され、第２の配置１３６の各磁石は、第１の配置１３４と隣接する回転軸１０４に最も接近して位置する。
すなわち、第２の配置１３６の磁石１３２は、隣接する第１の配置１３４から離れるほど、回転軸１０４から外側に逸脱していく。
【００３５】
図９から図１６において了解されるように、第２の配置１３６それぞれの各磁石１３２は、第２の配置１３６の他の磁石１３２と比較して、それぞれ僅かに異なる方向を有している。
上述のように、各磁石１３２は通常、レンズ型をしており、図９Ａにて了解されるように、通常、並行する平面状の側面１４０、ならびに、湾曲した正面および背面１４２を有する。
レンズの軸１４６は、両側面１４０から等距離にある両端部１４４の間を通り抜けるように、各レンズ１３２を通って延びている。
【００３６】
第２の配置１３６における各レンズ１３２は、直接に隣接するレンズ１３２に対して、そのレンズの軸１４６の周りを、およそ３０度回転する方向に置かれる。
図９Ａにおける参照番号１４８に示す矢印は、回転を示している。
図１２から図１４および図１５から図１８は、その回転の結果としての方向を示す。
例えば、図１２の２つのレンズ１３２のうちの１つ（左側に示す）は、ページの平面に対して並行した、１つの側面を提示しており、他方で、レンズ１３２のもう一方（右側に示されている）は、ページの平面に対して垂直となる側面１４０を有していることに留意されたい。
図１６はその逆の配置を示す。
【００３７】
磁石１３２は、１８個の磁石および６個の磁石ホルダ１５０および１５２によって、それぞれの位置に保持される。
図１０から図１４および図２４から図３１は１８個の磁石を示し、図１５から図２３は６個の磁石ホルダ１５０および１５２を示す。
端的には、磁石ホルダ１５０および１５２は、磁石１３２を受け止める適切な溝を有する非磁性体のブロックであり、所望の位置に、磁石を並べ、保持する。
【００３８】
１８個の磁石ホルダは、第１の配置１３４および第２の配置１３６の磁石の両方を保持する。
６個の磁石ホルダ１５２は、第２の配置１３６の磁石のみを保持する。
磁石ホルダ１５０および１５２は、単に例示として挙げられたものであり、他の固定手段が実行可能であることは明白であることに留意されたい。
例えば、全ての並んだ磁石は、熱硬化性ポリマーまたは熱矯正用（ｔｈｅｒｍａｌ  ｓｅｔｔｉｎｇ）ポリマー、あるいは、エポキシなどの化学的矯正用樹脂（ｃｈｅｍｉｃａｌｌｙ  ｓｅｔｔｉｎｇ  ｒｅｓｉｎ）などの適切なポッティング材料に流し込むことも可能である。
【００３９】
ここで、６個の磁石ホルダ１５２を示す図２０から図２３を参照する。
６個の磁石ホルダ１５２は、複数の溝１６２を有する略円筒体１６０を有し、ぞれぞれの溝は１つの磁石１３２を収容する。
【００４０】
各溝１６２は、磁石１３２の側面１４０と接近して係合することによって、所望の方向にて個々の磁石を受け止めるように設計されている。
【００４１】
位置決め穴１６４は、磁石ホルダ１５２の対面１６６の間に提供され、回転集合体１０２を通って延びる位置決め棒、または位置決めボルト１６８（図６を参照）と一直線に並んで配置される。
位置決め穴１６４は、磁石ホルダ１５０および１５２を、位置合わせをして並べ、回転集合体が、磁石ホルダと共に回転する場合のバランスをとる。
【００４２】
ここで、１８個の磁石ホルダ１５０を示す図２４から図３１を参照する。
１８個の磁石ホルダは、片側において６個の磁石ホルダと類似しているが、もう一方の片側においては、第１の配置１３４の磁石を受け止め、保持するための、さらなる溝１７０を備える。
６個の磁石ホルダ１５２と同様に、位置決め穴１６４は、位置決め棒、または位置決めボルト１６８と一直線に並んで配置されるように提供され、回転集合体１０４内において、所望の方向に、１８個の磁石ホルダ１５０を保持する。
【００４３】
使用時、モータ１０８は、駆動ベルト１１２を介して、回転集合体１０２を回転するように駆動される。
ローラ１０２が回転する所望の速度は、共振装置が用いられる用途に依存して変化してもよい。
例えば、試験操作においては、毎分３５００回転（ｒｐｍ）から４０００回転にて回転集合体１０２を駆動させることは、水浄化の用途において、有用であることが分かっている。
【００４４】
共振装置１００を使用する場合、取り扱われる対象物が回転集合体１０２を囲む必要はない。
共振装置と隣接していることで、通常は十分であり、したがって、対象物が流体である場合、必要とされるのは、流体のための非磁性の管路が共振装置１００を通過することである。
浄化時間は、浄化される物質および共振装置１００全体のサイズに依存する。
長さ約４３．１８ｃｍ（１７インチ）および直径約１０．１６ｃｍ（４インチ）のローラを有する共振装置１００を用いて水の浄化を行う場合、ウィルスを死滅するためには、およそ０．０３秒が必要とされた。
ＰＣＢは、およそ２０分必要とした。
したがって、連続流での操作（回分操作とは対照的に）が、少なくとも一部の用途において実行可能であることは明らかである。
【００４５】
上述の記載は、「生命の種子」パターンの使用に焦点を合わせている。
生命の種子は、「宗教的形状」とまとめて呼ばれている、自然界で頻繁に見受けられる形状比または形状的な並びを取り入れる、１つの形状パターンにすぎない。
「生命の種子」に関連する宗教的形状の固有の比は、結果として生じる磁場の効果に強い影響を及ぼすと考えられている。
したがって、有益な結果が、宗教的形状の群のなかで、他の形状パターンを選択することによって達成されることは明白である。
【００４６】
磁石１３２は実行可能な限りで、強力であるべきである。
したがって、希土類磁石が、サイズ比に対する強度の観点から、目下好ましいものである。
希土類磁石が好適であるが、必須要件ではない。
他の形態の永久磁石または電磁石もまた使用してもよい。
好ましくは、磁石１３２は左右対称に配置され、使用中、回転時に生じる振動を最小限に留めることが好ましい。
磁石は、Ｎ極およびＳ極の方向を交互に配置することが好ましいが、この設計もまた変更してもよい。
【００４７】
本発明の共振装置１００は、病原体を死滅させ、毒素を分解することによって、水または食料を浄化する手段として、実際的な用途を有する。
また、共振装置１００は、血液循環の回復、炎症、腫瘍、ウィルス感染およびバクテリア感染を治療し、かつ一般的な強壮剤として役に立つように、人体および動物の体への直接的な適用において、実際的な用途を有する。
また、共振装置１００は、空気中、水中、食物中、および土壌中における環境有害物質を低減するために有用である。
予備試験では、毒性化合物（自動車の排出ガスなど）を、ＨＣ、ＣＯ、ＮＯ、およびＳＯ２などの、より微細で、毒性の少ない構成分子に分解する試験結果を示した。
【００４８】
上述の記載は、限定的な意味ではなく、例示として記載されたものである。
請求の範囲に記載された請求項によって規定された本発明の趣旨および範囲から逸脱することなく、その構成において他の変更が可能であることは、当業者にあきらかである。
【図面の簡単な説明】
【００４９】
【図１】外側のカバーが取り外された、本発明による磁気共振装置の上面、側面、端部を示す斜視図である。
【図２】図１に対応し、図１の反対側を示す図である。
【図３】図１および図２の磁気共振装置の上面図である。
【図４】図３に対応する正面図である。
【図５】図１および図２の磁気共振装置の端面図である。
【図６】本発明による共振装置ユニットの回転集合体の平面図または正面図である（示された回転集合体が円筒形ならば、平面および正面の図に近似する）。
【図７】図６の線７−７にとられた回転集合体の断面図である。
【図８】図７の線８−８に対応する図６の回転集合体の断面図であり、本発明による磁石ホルダを示す。
【図９】図８の線９−９にとられた図８の磁石ホルダの断面図である。
【図９Ａ】本発明による、「レンズ型」磁石の斜視図である。
【図１０】１８個の磁石を保持する、本発明による磁石ホルダの正面図である。
【図１１】図１０の磁石ホルダの背面図である。
【図１２】図１０の線１２−１２の断面である。
【図１３】図１０の線１３−１３の断面である。
【図１４】図１０の線１４−１４の断面である。
【図１５】６個の磁石を保持する、本発明による磁石ホルダの正面図である。
【図１６】図１５の線１６−１６の断面である。
【図１７】図１５の線１７−１７の断面である。
【図１８】図１５の線１８−１８の断面である。
【図１９】６個の磁石を保持する、本発明による磁石ホルダの非表示部の詳細を示す正面図である。
【図２０】図１９の磁石ホルダの上面図である。
【図２１】図２０の線２１−２１の方向からとられた、図１９および図２０の磁石ホルダの斜視図である。
【図２２】図１９の線２２−２２の断面である。
【図２３】図１９の線２３−２３の断面である。
【図２４】１８個の磁石を保持する、本発明による磁石ホルダの正面図である。
【図２５】図２４の磁石ホルダの背面図である。
【図２６】図２４の磁石ホルダの上面図である。
【図２７】図２６の線２７−２７の視点からとられた、図２４、図２５、および図２６の磁石ホルダの斜視図である。
【図２８】図２４の線２８−２８の断面である。
【図２９】図２４の線２９−２９の断面である。
【図３０】１８個の磁石を保持する、本発明による磁石ホルダの斜視図である。
【図３１】図３０の湾曲部の例示的な半径を示す図３０の磁石ホルダの正面図である。
【符号の説明】
【００５０】
１００  共振装置
１０２  回転集合体
１０４  軸（回転集合体）
１０６  共通軸（回転集合体の）
１０８  モータ
１１０  被駆動滑車
１１２  駆動ベルト
１１４  駆動滑車
１２０  基部
１２２  支持プレート
１２４  調整可能なモータ取付部
１３０  円筒板（ローラ）
１３２  磁石
１３４  第１の配置（生命の種子）
１３６  第２の配置（円錐形）
１３８  回転軸（回転集合体）
１４０  側面
１４２  正面および背面（レンズ）
１４４  端部（レンズ）
１４６  レンズ軸
１４８  矢印（レンズの回転移動を示す）
１５０  １８個の磁石ホルダ
１５２  ６個の磁石ホルダ
１６２  溝（磁石を保持するための）
１６４  位置決め穴
１６６  対面（本体の）
１６８  棒またはボルト（回転集合体を貫通している）
１７０  第１の配置の磁石を保持するための、１８個の磁石における溝
【図１】
2009519118.tif 000003
【図２】
2009519118.tif 000004
【図３】
2009519118.tif 000005
【図４】
2009519118.tif 000006
【図５】
2009519118.tif 000007
【図６】
2009519118.tif 000008
【図７】
2009519118.tif 000009
【図８】
2009519118.tif 000010
【図９】
2009519118.tif 000011
【図９Ａ】
2009519118.tif 000012
【図１０】
2009519118.tif 000013
【図１１】
2009519118.tif 000014
【図１２】
2009519118.tif 000015
【図１３】
2009519118.tif 000016
【図１４】
2009519118.tif 000017
【図１５】
2009519118.tif 000018
【図１６】
2009519118.tif 000019
【図１７】
2009519118.tif 000020
【図１８】
2009519118.tif 000021
【図１９】
2009519118.tif 000022
【図２０】
2009519118.tif 000023
【図２１】
2009519118.tif 000024
【図２２】
2009519118.tif 000025
【図２３】
2009519118.tif 000026
【図２４】
2009519118.tif 000027
【図２５】
2009519118.tif 000028
【図２６】
2009519118.tif 000029
【図２７】
2009519118.tif 000030
【図２８】
2009519118.tif 000031
【図２９】
2009519118.tif 000032
【図３０】
2009519118.tif 000033
【図３１】
2009519118.tif 000034
【国際調査報告】
2009519118.tif 000035
2009519118.tif 000036